(57)【要約】本発明は化粧品の収容空間を提供するためのチューブ本体（４）と、チューブネック（３）と、フリップトップキャップ下部（２）と、フリップトップキャップ上部（１）とで構成されたフリップトップキャップを含むリングフリップトップ容器に関するもので、上記リングフリップトップ容器は、部品数が少なく、組立工程が簡略化されることによって、原料及びエネルギーの使用量を低減することができ、環境に優しいとともに、生産性及び生産費用の側面でも有利である。また、このようなリングフリップトップ容器は、キャップ部分の高さを低く設計することができるので、見掛けの良いデザインを実現することができるという長所がある。【選択図】図４
2013539736.tif 000002
【特許請求の範囲】
【請求項１】
化粧品の収容空間を提供するためのチューブ本体（４）と、チューブネック（３）と、フリップトップキャップ下部（２）と、フリップトップキャップ上部（１）とで構成されたフリップトップキャップを含むリングフリップトップ容器において、
上記チューブ本体（４）の下部は密封（ｓｅａｌｉｎｇ）され、その上部は開放されており、上記チューブネック（３）の下部と接合されて一体になり、上記チューブネック（３）はその側部外周面に沿って上記フリップトップキャップ下部（２）が締結されることができる環状の凹溝（５）が形成され、上記チューブネック（３）の上部中央に化粧品を排出するための凸出形状の吐出口（６）を有し、上記フリップトップキャップ下部（２）とフリップトップキャップ上部（１）は、それぞれの対向する外周面の一方端部が薄膜（７）で互いに連結され、上記フリップトップキャップ上部（１）は上記チューブネック（３）の凹溝（５）の上方端凸部（８）とアンダーカット方式で締結されることができる突起（９）を有し、
上記フリップトップキャップ上部（１）を閉める時、上記吐出口（６）と噛み合って、上記吐出口（６）の内側及び外側を一度に密閉させることができるようにする環状の凹字状の二重突起（１０）が上記フリップトップキャップ上部（１）の内方に備えられることを特徴とするリングフリップトップ容器。
【請求項２】
上記チューブ本体（４）の両側部がチューブ内方へ入るように丸い模様に形象化されたことを特徴とする請求項１に記載のリングフリップトップ容器。
【請求項３】
上記チューブネック（３）の上部外周面と吐出口（６）の下部外周面との間は上記チューブネック（３）の上部外周面より吐出口（６）の下部外周面が高くなるようにテーパー（ｔａｐｅｒ）状に形状化されたことを特徴とする請求項１に記載のリングフリップトップ容器。
【発明の詳細な説明】
【技術分野】
【０００１】
本発明はリングフリップトップ容器（ｒｉｎｇ  ｆｌｉｐ−ｔｏｐ  ｔｕｂｅ  ｃｏｎｔａｉｎｅｒ）に関し、より詳しくは、チューブ本体、チューブネック（ｔｕｂｅ  ｎｅｃｋ）、及びフリップトップキャップ下部及びフリップトップキャップ上部で構成されたフリップトップキャップを含むリングフリップトップ容器に関する。  
【背景技術】
【０００２】
従来、化粧品、薬品などを収容するための容器として、外部キャップ（ｏｕｔｅｒ  ｃａｐ）、内部キャップ（ｉｎｎｅｒ  ｃａｐ）及びフリップトップキャップを有するフリップトップチューブ容器が知られている。このようなチューブ容器において、フリップトップキャップはスクリュー構造であるか、下の部分が切り取られたアンダーカット（ｕｎｄｅｒｃｕｔ）構造のヘッダーリング（ｈｅａｄｅｒ  ｒｉｎｇ）を備え、上記構造のヘッダーリングは内部キャップとスクリューまたはアンダーカット方式で締結され、上記内部キャップはその外周面が外部キャップとアンダーカット方式で締結される。  
上記従来技術におけるチューブ容器は、部品数が多くて、コストが高く、組み立て工程が複雑であるという問題点がある。そこで、その生産性及び工程費用の面で改善が要求された。さらに、フリップトップチューブ容器は、多数の部品を締結してなるため、見掛けの良い容器を案出することが困難であった。  
【発明の概要】
【発明が解決しようとする課題】
【０００３】
本発明は上記従来技術の問題点を解決するために案出されたもので、従来フリップトップチューブ容器に比べて、部品数を減少して、組立工程を簡略化することによって、金型数が減少され、コストが低減され、且つ製造及び組立時間が短縮されたリングフリップトップ容器を提供することを目的とする。  
また、本発明はヘッダーリング部分の高さを低くすることによって、キャップ部分の高さが低くなり、それによって、従来のチューブ容器に比べて、新しくて、見掛けの良いデザインを具現することができるリングフリップトップ容器を提供することを目的とする。  
また、本発明は原料及びエネルギーの使用量を低減した環境に優しいリングフリップトップ  
チューブ容器を提供することを目的とする。  
【課題を解決するための手段】
【０００４】
本発明の第１態様は、化粧品の収容空間を提供するためのチューブ本体４と、チューブネック３と、フリップトップキャップ下部２と、フリップトップ上部１とで構成されたフリップトップキャップを含むリングフリップトップ容器であって、上記チューブ本体４の下部は密封（ｓｅａｌｉｎｇ）され、その上部は開放されており、上記チューブネック３の下部と接合されて一体になり、上記チューブネック３はその側部外周面に沿って上記フリップトップキャップ下部２が締結されることができる環状の凹溝５が形成され、上記チューブネック３の上部中央に化粧品を排出するための凸出形状の吐出口６を有し、上記フリップトップキャップ下部２とフリップトップ１は、それぞれの対向する外周面の一側端部が薄膜７で互いに連結されり、上記フリップトップキャップ上部１は上記チューブネック３の凹溝５の上端凸部８とアンダーカット方式で締結されることができる突起９を有し、上記フリップトップキャップ上部１を閉める時、上記吐出口６と噛み合って、上記吐出口６の内側及び外側を一度に密閉させることができるようにする環状の凹字状の二重突起１０が上記フリップトップキャップ上部１の内方に備えられることを特徴とする。  
本発明の第２態様は、上記第１態様において、上記チューブ本体４の両側部がチューブの内方へ入るように丸く形状化されたことを特徴とする。  
本発明の第３態様は、上記第１態様において、上記チューブネック３の上部外周面と吐出口６の下部外周面との間は、上記チューブネック３の上部外周面より吐出口６の下部外周面が高くなるようにテーパー（ｔａｐｅｒ）状に形状化されていることを特徴とする。  
【発明の効果】
【０００５】
本発明によれば、従来のフリップトップチューブ容器に比べて、部品数を減らして、組立工程を簡略化することによって、原料及びエネルギーの使用量を低減することができて、環境に優しいとともに、生産性及び生産費用の側面でも有利である。また、本発明によるリングフリップトップ容器は、キャップ部分の高さを低く設計することができるので、見掛けの良いデザインを具現することができるという長所がある。  
【図面の簡単な説明】
【０００６】
【図１】各構成要素が結合された状態の本発明によるリングフリップトップ容器の断面図を示した図である。
【図２】各構成要素が結合された状態の本発明によるリングフリップトップ容器の写真である。
【図３】各構成要素が分解された状態の本発明のによるリングフリップトップ容器の構成要素を分解して撮影した写真である。
【図４】各構成要素が結合された状態の本発明によるリングフリップトップ容器の断面図をヘッダーリング及びフリップトップキャップと比べて示した図である。
【発明を実施するための形態】
【０００７】
以下、図面を参照して本発明を詳しく説明する。各図面において、同じ符号は同じ部材を示す。  
本発明のリングフリップトップ容器において、チューブ本体４は化粧品の収容空間を提供するためのもので、軟質物質、例えばポリエチレン（ＰＥ）で形成されることができる。チューブ本体４の下部は当該技術分野で知られた技術によって密封されることができ、その上部は開放されている。また、上記チューブ本体４はその上部がチューブネック３の下部と接合されて一体になる。  
本発明のリングフリップトップ容器において、チューブネック３は上記チューブ本体４の上部と接合されるもので、軟質物質、例えばポリエチレン（ＰＥ）で形成されることができる。上記チューブネック３はその側部外周面に沿ってフリップトップキャップ下部２が締結されることができる環状の凹溝５が形成され、上記チューブネック３の上部中央には化粧品を排出するための凸出形状の吐出口６を備える。また、上記チューブネック３の上部外周面と吐出口６の下部外周面との間は、上記チューブネック３の上部外周面より吐出口６の下部外周面が高くなるようにテーパー状に形状化されることが好ましい。  
本発明のリングフリップトップ容器において、フリップトップキャップは、フリップトップキャップ下部２とフリップトップキャップ上部１とで構成され、上記フリップトップキャップ下部２はチューブネック３とフリップトップキャップ上部１とを連結させるための環状部材で、硬質物質、例えばポリプロピレン（ＰＰ）で形成されることができる。上記フリップトップキャップ下部２とフリップトップキャップ上部１はそれぞれの対向する外周面の一側端部が薄膜７で互いに連結される。また、上記フリップトップキャップ下部２はチューブネック３の凹溝５に締結されて、上記チューブネック３と上記フリップトップキャップ上部１とを連結させる。  
本発明のリングフリップトップ容器において、フリップトップキャップ上部１は上記チューブネック３の凹溝５の上端凸部８とアンダーカット方式で締結されることができる突起９を有し、上記フリップトップキャップ上部１を閉める時、上記吐出口６と噛み合って、上記吐出口６の内側及び外側を一度に密閉させることができるように、環状の凹字状の二重突起１０を上記フリップトップキャップ上部１の内方に備え、このようなフリップトップキャップ上部１は、硬質物質、例えばポリプロピレン（ＰＰ）で形成されることができる。  
上述した本発明の態様は本発明を実施するための最適な実施例を示し、本明細書で用いられた用語は本発明を説明する目的で用いられるもので、上記実施例及び特定用語が本発明の保護範囲を制限することに解釈してはならない。また、当該技術分野において通常の知識を有する者であれば上記実施例に均等な変形または変化を加えることができることを理解すべきである。従って、本発明の真正な保護範囲は添付された特許請求の範囲の技術的思想によって定められるべきである。  
【図１】
2013539736.tif 000003
【図２】
2013539736.tif 000004
【図３】
2013539736.tif 000005
【図４】
2013539736.tif 000006
【手続補正書】
【提出日】平成25年7月22日(2013.7.22)
【手続補正１】
【補正対象書類名】図面
【補正対象項目名】全図
【補正方法】変更
【補正の内容】
【図１】
2013539736.tif 000007
【手続補正２】
【補正対象書類名】明細書
【補正対象項目名】全文
【補正方法】変更
【補正の内容】
【発明の詳細な説明】
【技術分野】
【０００１】
本発明はリングフリップトップ容器（ｒｉｎｇ  ｆｌｉｐ−ｔｏｐ  ｔｕｂｅ  ｃｏｎｔａｉｎｅｒ）に関し、より詳しくは、チューブ本体、チューブネック（ｔｕｂｅ  ｎｅｃｋ）、及びフリップトップキャップ下部及びフリップトップキャップ上部で構成されたフリップトップキャップを含むリングフリップトップ容器に関する。
【背景技術】
【０００２】
従来、化粧品、薬品などを収容するための容器として、外部キャップ（ｏｕｔｅｒ  ｃａｐ）、内部キャップ（ｉｎｎｅｒ  ｃａｐ）及びフリップトップキャップを有するフリップトップチューブ容器が知られている。このようなチューブ容器において、フリップトップキャップはスクリュー構造であるか、下の部分が切り取られたアンダーカット（ｕｎｄｅｒｃｕｔ）構造のヘッダーリング（ｈｅａｄｅｒ  ｒｉｎｇ）を備え、上記構造のヘッダーリングは内部キャップとスクリューまたはアンダーカット方式で締結され、上記内部キャップはその外周面が外部キャップとアンダーカット方式で締結される。
【０００３】
上記従来技術におけるチューブ容器は、部品数が多く、コストが高く、組み立て工程が複雑であるという問題点がある。そこで、その生産性及び工程費用の面で改善が要求された。さらに、フリップトップチューブ容器は、多数の部品を締結してなるため、見掛けの良い容器を案出することが困難であった。
【発明の概要】
【発明が解決しようとする課題】
【０００４】
本発明は上記従来技術の問題点を解決するために案出されたもので、従来フリップトップチューブ容器に比べて、部品数を減少して、組立工程を簡略化することによって、金型数が減少され、コストが低減され、且つ製造及び組立時間が短縮されたリングフリップトップ容器を提供することを目的とする。
【０００５】
また、本発明はヘッダーリング部分の高さを低くすることによって、キャップ部分の高さが低くなり、それによって、従来のチューブ容器に比べて、新しくて、見掛けの良いデザインを具現することができるリングフリップトップ容器を提供することを目的とする。
【０００６】
また、本発明は原料及びエネルギーの使用量を低減した環境に優しいリングフリップトップ
チューブ容器を提供することを目的とする。
【課題を解決するための手段】
【０００７】
本発明の第１態様は、化粧品の収容空間を提供するためのチューブ本体４と、チューブネック３と、フリップトップキャップ下部２と、フリップトップ上部１とで構成されたフリップトップキャップを含むリングフリップトップ容器であって、上記チューブ本体４の下部は密封（ｓｅａｌｉｎｇ）され、その上部は開放されており、上記チューブネック３の下部と接合されて一体になり、上記チューブネック３はその側部外周面に沿って上記フリップトップキャップ下部２が締結されることができる環状の凹溝５が形成され、上記チューブネック３の上部中央に化粧品を排出するための凸出形状の吐出口６を有し、上記フリップトップキャップ下部２とフリップトップ１は、それぞれの対向する外周面の一側端部が薄膜７で互いに連結され、上記フリップトップキャップ上部１は上記チューブネック３の凹溝５の上端凸部８とアンダーカット方式で締結されることができる突起９を有し、上記フリップトップキャップ上部１を閉める時、上記吐出口６と噛み合って、上記吐出口６の内側及び外側を一度に密閉させることができるようにする環状の凹字状の二重突起１０が上記フリップトップキャップ上部１の内方に備えられることを特徴とする。
【０００８】
本発明の第２態様は、上記第１態様において、上記チューブ本体４の両側部がチューブの内方へ入るように丸く形状化されたことを特徴とする。
【０００９】
本発明の第３態様は、上記第１態様において、上記チューブネック３の上部外周面と吐出口６の下部外周面との間は、上記チューブネック３の上部外周面より吐出口６の下部外周面が高くなるようにテーパー（ｔａｐｅｒ）状に形状化されていることを特徴とする。
【発明の効果】
【００１０】
本発明によれば、従来のフリップトップチューブ容器に比べて、部品数を減らして、組立工程を簡略化することによって、原料及びエネルギーの使用量を低減することができて、環境に優しいとともに、生産性及び生産費用の側面でも有利である。また、本発明によるリングフリップトップ容器は、キャップ部分の高さを低く設計することができるので、見掛けの良いデザインを具現することができるという長所がある。
【図面の簡単な説明】
【００１１】
【図１】各構成要素が結合された状態の本発明によるリングフリップトップ容器の断面図をヘッダーリング及びフリップトップキャップと比べて示した図である。
【発明を実施するための形態】
【００１２】
以下、図面を参照して本発明を詳しく説明する。各図面において、同じ符号は同じ部材を示す。
【００１３】
本発明のリングフリップトップ容器において、チューブ本体４は化粧品の収容空間を提供するためのもので、軟質物質、例えばポリエチレン（ＰＥ）で形成されることができる。チューブ本体４の下部は当該技術分野で知られた技術によって密封されることができ、その上部は開放されている。また、上記チューブ本体４はその上部がチューブネック３の下部と接合されて一体になる。
【００１４】
本発明のリングフリップトップ容器において、チューブネック３は上記チューブ本体４の上部と接合されるもので、軟質物質、例えばポリエチレン（ＰＥ）で形成されることができる。上記チューブネック３はその側部外周面に沿ってフリップトップキャップ下部２が締結されることができる環状の凹溝５が形成され、上記チューブネック３の上部中央には化粧品を排出するための凸出形状の吐出口６を備える。また、上記チューブネック３の上部外周面と吐出口６の下部外周面との間は、上記チューブネック３の上部外周面より吐出口６の下部外周面が高くなるようにテーパー状に形状化されることが好ましい。
【００１５】
本発明のリングフリップトップ容器において、フリップトップキャップは、フリップトップキャップ下部２とフリップトップキャップ上部１とで構成され、上記フリップトップキャップ下部２はチューブネック３とフリップトップキャップ上部１とを連結させるための環状部材で、硬質物質、例えばポリプロピレン（ＰＰ）で形成されることができる。上記フリップトップキャップ下部２とフリップトップキャップ上部１はそれぞれの対向する外周面の一側端部が薄膜７で互いに連結される。また、上記フリップトップキャップ下部２はチューブネック３の凹溝５に締結されて、上記チューブネック３と上記フリップトップキャップ上部１とを連結させる。
【００１６】
本発明のリングフリップトップ容器において、フリップトップキャップ上部１は上記チューブネック３の凹溝５の上端凸部８とアンダーカット方式で締結されることができる突起９を有し、上記フリップトップキャップ上部１を閉める時、上記吐出口６と噛み合って、上記吐出口６の内側及び外側を一度に密閉させることができるように、環状の凹字状の二重突起１０を上記フリップトップキャップ上部１の内方に備え、このようなフリップトップキャップ上部１は、硬質物質、例えばポリプロピレン（ＰＰ）で形成されることができる。
【００１７】
上述した本発明の態様は本発明を実施するための最適な実施例を示し、本明細書で用いられた用語は本発明を説明する目的で用いられるもので、上記実施例及び特定用語が本発明の保護範囲を制限することに解釈してはならない。また、当該技術分野において通常の知識を有する者であれば上記実施例に均等な変形または変化を加えることができることを理解すべきである。従って、本発明の真正な保護範囲は添付された特許請求の範囲の技術的思想によって定められるべきである。
【国際調査報告】
2013539736.tif 000008
2013539736.tif 000009
2013539736.tif 000010
2013539736.tif 000011